(57)【要約】  本発明は、各種の運動靴の構成のうち、前方に配置された舌革（Ｔｏｎｇｕｅ）の垂れ現象をより効果的に防ぐための舌革支持装置に関する。すなわち、本発明は、靴１の舌革３の上部側に、柔軟性の軟質樹脂製の支持バンド５を、一方が固定され、他方は、摺動状態で遊動性を有するように付着設置することにより、靴１を脱いでおくとき、舌革３の垂れ現象をより効果的に防ぎ、靴の着用上、便利性をさらに向上させた極めて有用な効果がある。【選択図】図１
2015536203.tif 000002
【特許請求の範囲】
【請求項１】
2015536203.tif 000003
【発明の詳細な説明】
【技術分野】
【０００１】
本発明は、各種の運動靴の構成のうち、前方に配置された舌革（Ｔｏｎｇｕｅ）の垂れ現象をより効果的に防ぐための舌革支持装置を提供しようとするものである。
【０００２】
より具体的には、既存の運動靴における舌革の上部に舌革支持バンドを摺動式で架設し、常時、舌革を上部へ付勢させることにより、靴をより容易に履くことができるようにしたものである。
【背景技術】
【０００３】
運動靴類の靴は、その素材が織物で構成され、遊動性に多いので、靴を脱いだ状態では、舌革が自重により下へ垂れてしまうので、靴を履く度に、腰をかがめ、舌革の上端を手で引っ張らなければならないので、靴の着用が極めて不便であるという短所があった。
【０００４】
本発明は、このような従来の靴において、靴を脱いでおいても、舌革が下へ垂れないように、極めて簡単な構成の支持手段を付加するのにその特徴がある。
【先行技術文献】
【特許文献】
【０００５】
【特許文献１】大韓民国公開特許第１０−２００９−００６８３２１号公報
【特許文献２】大韓民国公開特許第１０−２００３−００９７０５８号公報
【発明の概要】
【発明が解決しようとする課題】
【０００６】
運動靴の舌革を靴紐に結束固定して支持させる従来の方法では、靴を脱いだ状態で、靴紐が緩くなって解けているので、靴を再び履くときは、腰をかがめ、手で舌革を上へ引っ張り上げなければならないという不便があった。
【０００７】
本発明は、上記問題点に鑑みなされたものであり、舌革を常時上へ引っ張り上げる付勢力に優れた舌革支持バンドを摺動式で結合し、靴を脱いだ状態でも、常時、舌革を上部へ支持させ、靴を着用するとき、舌革に手を当てなくても容易に靴を履くことができるようにしたものである。
【課題を解決するための手段】
【０００８】
上述した解決課題を達成するために、本発明では、靴の舌革の上部に弾力性の支持バンドを挟んで固定し、この弾力性の支持バンドの一方は、靴の甲皮の内側に固定し、支持バンドの他方は、反対側の甲皮の裏側から摺動式で挿入し、舌革そのものが足の甲の高低に良好に適用するとともに、常時上部へ上げられるようにし、舌革の支持状態を良好に維持するようにしたものである。
【発明の効果】
【０００９】
本発明によれば、舌革の上部に靴紐を支持させる従来の構成を外れ、舌革の上部に、別途の構成である弾力性の支持バンドを摺動作動方式で内蔵し、靴の着用時、足の甲の高低に柔軟に適応するとともに、舌革の上部が常時上部へ上げられるようにし、靴の着用がより容易に行われ、靴の着用上、便利性と能率性を高度に向上させたものである。
【図面の簡単な説明】
【００１０】
【図１】本発明の斜視図である。
【図２】本発明の断面図である。
【図３】舌革支持片の斜視図である。
【図４】従来の靴の構成図である。
【図５】本発明の他の実施例を示す図である。
【発明を実施するための形態】
【００１１】
図１は、本発明の構成を示す全体斜視図であり、図２は、本発明の設置状態を示す断面図であり、図３は、本発明の構成要旨である舌革支持バンドの構成を分離して示した斜視図であり、図４は、従来の舌革支持装置を示す図である。
【００１２】
図４のように、従来の靴の構成は、靴１の前方側の左右の甲皮２、２１の間に舌革３が配置され、舌革３の上側には別途に環部４を形成し、靴紐６を前記環部４に挟んで、舌革３の下降を防ぐようにしたものである。
【００１３】
本発明は、上記した従来の構成において、舌革３の上側を常時上へ上げる弾力性のバンドタイプの支持装置（支持バンド５）を、舌革３の環部４に挟んで結合させる新たな構成を提供する。
【００１４】
上記した舌革３の環部４に挟む支持バンド５は、図３に示すように、一定の幅Ｗを有する軟質合成樹脂製の支持バンド５で構成する。
【００１５】
前記支持バンド５の材質は、ＰＥ樹脂、ＰＶＣ樹脂、ポリウレタン樹脂、ＥＶＡ樹脂等から任意で選択して使用可能である。
【００１６】
支持バンド５の幅Ｗは、略６〜１０ｍ／ｍ、厚さは、２〜４ｍ／ｍが適当である。
【００１７】
前記支持バンド５は、靴１の一側固定部５１を裁縫または接着して固定付着させ、他側摺動部５２を摺動式で遊動可能に一端部に弧状部を形成することが好ましい。
【００１８】
上記した支持バンド５を靴１に設置する構成は、図１乃至図２に示すように、支持バンド５の一側固定部５１を甲皮２１の裏側に裁縫手段または接着手段で固定し、他側摺動部５２は、環部４を貫通させてから、反対側の甲皮２の裏側に形成した挿入袋２２に挟む。
【００１９】
このように挿入袋２２内に支持バンド５の摺動部５２が挟まれると、靴１を着用したとき、舌革３が足の甲に接触して、上へ隆起されるとき、前記摺動部５２が一緒に付動するので、靴着用者の足の甲の体積に適応して、挿入袋２２内において、支持バンド５そのものが常時柔軟に摺動作動するようになる。したがって、靴１の着用上、支持バンド５が、異物感がなく、着用者の足の甲の体積にかかわらず、舌革３の支持機能を円滑に行うようになる。
【００２０】
上記構成のうち、挿入袋２２は、一側の甲皮２の裏側に形成されるので、外部に露出せず、靴の外観を損なわない。また、前記環部４を、図５のように、その幅Ｗを大きく形成すると、内部の支持バンド５が外に露出しないので、外観をさらに美麗にし、舌革３の左右への捩れ現象を効果的に防ぐことができる付随的な効果をもたらす。
【００２１】
このように、本発明は、舌革３の環部４に支持バンド５が横方向に挟まれ、一側の固定部５１は固定され、他側は摺動部５２となり、遊動状態で挿入袋２２に挟まれているので、支持バンド５の柔軟な支持力により、靴１を脱いでおいた状態でも、舌革３が下部へ垂れず、上部へ適当に上げられた状態がそのまま維持され、また、前記支持バンド５は、靴１を履くとき、舌革３が靴１の前方内側に引き込まれることを抑制する機能をするので、使用者が靴１を楽に履くことができるという長所がある。
【００２２】
したがって、本発明は、靴１の舌革３の上部側に、柔軟性の軟質樹脂製の支持バンド５を、一方が固定され、他方は、摺動状態で遊動性を有するように付着設置することにより、靴１を脱いでおくとき、舌革３の垂れ現象をより効果的に防ぎ、靴の着用上、便利性をさらに向上させた極めて有用な効果がある。
【産業上の利用可能性】
【００２３】
本発明は、各種の運動靴の構成のうち、前方に配置された舌革の垂れ現象をより効果的に防ぐための舌革支持装置に関し、産業上の利用可能性がある。
【図１】
2015536203.tif 000004
【図２】
2015536203.tif 000005
【図３】
2015536203.tif 000006
【図４】
2015536203.tif 000007
【図５】
2015536203.tif 000008
【国際調査報告】
2015536203.tif 000009
2015536203.tif 000010
2015536203.tif 000011
2015536203.tif 000012